(57)【要約】  【課題】  光ディスク装置において、ウォブル信号のエラーによらず、光ディスクの安定回転が可能な制御技術の提供。  【解決手段】  ウォブル信号から抽出したフレーム信号に基づき、フレーム周期の変動が基準値以内のフレーム信号または位相値が基準値以内の位相データを疑似フレーム情報として保持し、スピンドルモータの回転を、ウォブル信号の周期の変動量が設定基準値以内の場合は、上記抽出したフレーム信号に基づき制御し、ウォブル信号の周期の変動量が設定基準値を超える場合は、上記疑似フレーム情報に基づき制御する。【選択図】  図１
2005166076.tif 000002
【特許請求の範囲】
【請求項１】
光ディスクにレーザ光を照射し情報の記録または再生を行う光ディスク装置であって、
上記光ディスクを回転させるためのスピンドルモータと、
上記スピンドルモータを駆動するモータ駆動回路と、
反射レーザ光から再生されるウォブル信号の周期の変動量を検出するとともに、該ウォブル信号から抽出したフレーム信号に基づき、フレーム周期の変動が基準値以内のフレーム信号または位相値が基準値以内の位相データを疑似フレーム情報として保持し、上記ウォブル信号周期の変動レベルに基づき、上記抽出したフレーム信号、上記疑似フレーム情報のいずれか一方を出力し、上記モータ駆動回路を制御する制御回路と、
を備え、上記スピンドルモータを、上記ウォブル信号周期の変動量が設定基準値以内の場合は、上記抽出したフレーム信号に基づく制御により回転駆動し、上記変動量が設定基準値を超える場合は、上記疑似フレーム情報に基づく制御により回転駆動する構成としたことを特徴とする光ディスク装置。
【請求項２】
光ディスクにレーザ光を照射し情報の記録または再生を行う光ディスク装置であって、
上記光ディスクを回転させるためのスピンドルモータと、
上記スピンドルモータを駆動するモータ駆動回路と、
上記モータ駆動回路を制御する制御回路であって、反射レーザ光から再生されるウォブル信号の周期を検出するウォブル周期検出手段と、該ウォブル信号からフレーム信号を抽出するフレーム信号抽出手段と、該抽出したフレーム信号に基づき、フレーム周期変動が基準値以内のフレーム信号または位相値が基準値以内の位相データを疑似フレーム情報として保持する疑似フレーム情報発生手段と、上記検出したウォブル信号周期の変動量に基づき、上記抽出したフレーム信号と上記疑似フレーム情報のいずれかが出力されるように選択的に切替える切替え手段とを有する制御回路と、
を備え、上記スピンドルモータを、上記ウォブル信号周期の変動量が設定基準値以内の場合は、上記抽出したフレーム信号に基づき制御し、上記変動量が設定基準値を超える場合は、上記疑似フレーム情報に基づき制御する構成としたことを特徴とする光ディスク装置。
【請求項３】
上記制御回路は、上記疑似フレーム情報を、上記フレーム周期変動が基準範囲を超えるフレーム信号の直前のフレーム信号、または位相値が基準範囲を超えるフレーム信号の直前のフレーム信号の位相データまたは基準信号との位相差データとする構成である請求項１または請求項２に記載の光ディスク装置。
【請求項４】
スピンドルモータで回転駆動される光ディスクにレーザ光を照射し、情報の記録または再生を行う光ディスク装置のディスク回転制御方法であって、
反射レーザ光から再生される信号からウォブル信号を検出する第１のステップと、
上記ウォブル信号の周期を検出するとともに、該ウォブル信号からフレーム信号を抽出する第２のステップと、
該抽出したフレーム信号に基づき、フレーム周期変動が基準値以内のフレーム信号または位相値が基準値以内の位相データを疑似フレーム情報として保持する第３のステップと、
上記検出したウォブル信号周期の変動量に基づき、上記抽出したフレーム信号、上記疑似フレーム情報のいずれかが出力されるように切替える第４のステップと、
上記切替えによって出力される上記フレーム信号または上記疑似フレーム情報のいずれかに基づき、上記スピンドルモータの回転を制御する第５のステップと、
を経て、上記光ディスクの回転を制御する光ディスク装置のディスク回転制御方法。
【請求項５】
上記第３のステップでは、上記疑似フレーム情報を、上記フレーム周期変動が基準範囲を超えるフレーム信号の直前のフレーム信号、または位相値が基準範囲を超えるフレーム信号の直前のフレーム信号の位相データまたは基準信号との位相差データとする請求項４に記載の光ディスク装置のディスク回転制御方法。
【発明の詳細な説明】
【技術分野】
【０００１】
本発明は、光ディスクに対し情報を記録または再生する光ディスク装置に係り、特に、光ディスクの回転制御技術に関する。
【背景技術】
【０００２】
本発明に関連した従来技術としては、例えば、特許第２６７２０７２号明細書（特許文献１）や特開２００３−６８０１１号公報（特許文献２）に記載されたものがある。特許第２６７２０７２号明細書には、ウォブル信号の復調エラーが発生した場合、ウォブル信号と基準信号のパルス幅を比較し、ウォブル信号が位相制御範囲を外れたと判断したとき、スピンドルモータを一定期間加速または減速するように制御するとした技術が記載され、特開２００３−６８０１１号公報には、トラックジャンプを行う際、再生されるフレーム信号の周期性が一時的に失われることによって光ディスクの回転制御が不安定になることを防止するために、トラックジャンプ開始直前にウォブル信号をサンプルホールドし、トラックジャンプが完了するまで該サンプルホールドしたウォブル信号によりスピンドルモータを制御するとした技術が記載されている。
【０００３】
【特許文献１】特許第２６７２０７２号明細書
【０００４】
【特許文献２】特開２００３−６８０１１号公報
【発明の開示】
【発明が解決しようとする課題】
【０００５】
光ディスクにおける高速記録化が進むにつれ、ウォブル信号のわずかな欠落によってもスピンドルモータの回転が大きく変動して光ディスクの記録不良を引き起こす場合がある。これを防止するために、光ディスクの一層精密な回転制御が求められている。
本発明の課題点は、上記従来技術の状況に鑑み、光ディスク装置において、ウォブル信号に復調エラーがあるなどして周期変動が増大した場合にも、スピンドルモータの回転制御変動を抑え、光ディスクを安定に回転させることができるようにすることである。
本発明の目的は、かかる課題点を解決できる光ディスクの回転制御技術の提供にある。
【課題を解決するための手段】
【０００６】
上記課題点を解決するために、本発明では、光ディスク装置において、ウォブル信号の周期の変動量を検出するとともに、ウォブル信号から抽出したフレーム信号に基づき、フレーム周期の変動が基準値以内のフレーム信号または位相値が基準値以内の位相データを疑似フレーム情報として保持し、スピンドルモータの回転を、上記ウォブル信号周期の変動量が設定基準値以内の場合は、上記抽出したフレーム信号に基づき制御し、上記変動量が設定基準値を超える場合は、上記疑似フレーム情報に基づき制御する構成とする。
【発明の効果】
【０００７】
本発明によれば、光ディスク装置において、ウォブル信号周期の変動量が増大した場合にも、スピンドルモータの回転制御変動を抑え、光ディスクを安定に回転させることができる。
【発明を実施するための最良の形態】
【０００８】
以下、本発明を実施するための最良の形態につき、図面を用いて説明する。
図１及び図２は、本発明の第１の実施形態の説明図である。図１は、本発明の第１の実施形態としての光ディスク装置の構成例図、図２は、図１の装置における制御用信号のタイミング説明図である。
【０００９】
図１において、１は光ディスク、２は、光ディスク１にレーザ光を照射するとともに、反射レーザ光を受光して再生電気信号を生成する光ヘッド、３は、光ディスク１を回転駆動するスピンドルモータ、４は、光ヘッド２からの再生信号に対し復調などの処理を行うアナログフロントエンド、５は、アナログフロントエンド４から出力されたウォブル信号からフレーム信号を抽出するフレーム信号抽出手段、６は、同じくアナログフロントエンド４から出力されたウォブル信号の周期を検出するウォブル周期検出手段、７は、フレーム信号抽出手段５で抽出したフレーム信号の周期を計測するフレーム信号周期計測手段、８は、フレーム信号周期計測手段７で計測したフレーム信号周期（フレーム周期）の変動が基準値以内の安定したフレーム信号を疑似フレーム信号として保持する疑似フレーム情報発生手段としての擬似フレーム信号発生手段、９は、上記検出したウォブル信号周期の変動量に基づき、上記フレーム信号抽出手段５で抽出したフレーム信号と上記擬似フレーム信号発生手段８に保持した疑似フレーム信号のいずれかを選択するように切替える切替え手段としてのスイッチ、１０は、位相比較のための基準信号を発生する基準信号発生器、１１は、上記スイッチ９からの信号と該基準信号の位相比較を行い、位相差に基づく信号を出力する位相比較器、１２は、位相比較器１１からの信号をＤ／Ａ変換するＤＡＣ（Ｄｉｇｉｔａｌ  Ａｎａｌｏｇ  Ｃｏｎｖｅｒｔｅｒ）、１３は、ＤＡＣ１２の出力に基づき、スピンドルモータ３を駆動するための駆動信号を形成し出力するモータ駆動回路である。
【００１０】
上記構成において、上記ウォブル周期検出手段６で検出したウォブル信号周期の変動量が小さく、予め設定されている基準値以内の場合は、上記スイッチ９の接点ａ、ｂが接続され、上記フレーム信号抽出手段５で該周期変動量の小さいウォブル信号から抽出したフレーム信号が選択されて上記位相比較器１１に入力され、該フレーム信号と基準信号発生器１０からの基準信号とが位相比較され、その位相差に基づく信号がＤＡＣ１２でＤ／Ａ変換され、モータ駆動回路１３に入力される。モータ駆動回路１３は該信号に対応した駆動信号を形成し、スピンドルモータ３を駆動する。すなわち、ウォブル信号周期の変動量が小さくて予め設定されている基準値以内の場合は、そのウォブル信号から抽出したフレーム信号に基づき、スピンドルモータ３の回転を制御する。一方、上記ウォブル周期検出手段６で検出したウォブル信号周期の変動量が大きく、予め設定されている基準値を超える場合は、上記スイッチ９の接点ａ、ｃが接続され、上記擬似フレーム信号発生手段８で擬似フレーム信号として保持していたフレーム周期の変動が基準値以内の安定したフレーム信号が選択されて上記位相比較器１１に入力され、該擬似フレーム信号と基準信号発生器１０からの基準信号とが位相比較され、その位相差に基づく信号がＤＡＣ１２でＤ／Ａ変換され、モータ駆動回路１３に入力される。モータ駆動回路１３は該信号に対応した駆動信号を形成し、スピンドルモータ３を駆動する。すなわち、ウォブル信号周期の変動量が大きくて予め設定されている基準値を超える場合は、フレーム周期変動が基準値以内の擬似フレーム信号に基づき、スピンドルモータ３の回転を制御する。従って、上記いずれの場合も、スピンドルモータ３は、周期変動が基準値以内の信号に基づき回転を制御される。
【００１１】
図２は、図１の装置における制御用信号のタイミング説明図である。
図２において、（ａ）は、アナログフロントエンド４から出力される周期Ｗのウォブル信号の波形、（ｂ）は、フレーム信号抽出手段５によりウォブル信号（（ａ））から抽出された周期Ｆ１の部分及び周期Ｆ２の部分を有するフレーム信号、（ｃ）は、上記フレーム信号（（ｂ））の周期Ｆ１の部分に基づき、フレーム信号周期計測手段７と擬似フレーム信号発生手段８に形成され保持される周期Ｆ１の擬似フレーム信号である。上記（ｂ）のフレーム信号において、フレーム周期が周期Ｆ１から周期Ｆ２へ変化するときのフレーム周期変動量（Ｆ２−Ｆ１）は基準範囲を超えるものとする。このため、擬似フレーム信号発生手段８では、フレーム信号ｆ２の直前の周期Ｆ１のフレーム信号ｆ１を保持することで擬似フレーム信号を形成する。
【００１２】
上記本発明の第１の実施形態によれば、光ディスク装置において、ウォブル信号に復調エラーがあるなどして周期変動が増大した場合にも、スピンドルモータの回転制御変動を抑えて光ディスクを安定に回転させることができる。
【００１３】
図３は、本発明の第２の実施形態としての光ディスク装置の構成例図である。
図３において、１は光ディスク、２は光ヘッド、３はスピンドルモータ、４はアナログフロントエンド、５は、アナログフロントエンド４から出力されたウォブル信号からフレーム信号を抽出するフレーム信号抽出手段、６は、同じくアナログフロントエンド４から出力されたウォブル信号の周期を検出するウォブル周期検出手段、１０は、例えば水晶振動子などを用いて構成され、位相比較のためにフレーム周期一定の基準信号を発生する基準信号発生器、１１は、フレーム信号抽出手段５で抽出したフレーム信号と上記基準信号の位相比較を行い、その位相差に基づく信号を出力する位相比較器、１５は、上記位相差が基準値以内（＝位相値が基準値以内）の位相データを疑似位相差データ（＝擬似フレーム情報）として保持する疑似フレーム情報発生手段としてのデータ保持手段、９'は、上記検出したウォブル信号周期の変動量に基づき、上記位相比較器１１が出力した信号とデータ保持手段１５に保持した位相差データのいずれかを選択するように切替える切替え手段としてのスイッチ、１２はＤＡＣ、１３はモータ駆動回路である。
【００１４】
上記構成において、上記ウォブル周期検出手段６で検出したウォブル信号周期の変動量が小さく、予め設定されている基準値以内の場合は、上記スイッチ９'の接点ａ、ｂが接続され、上記フレーム信号抽出手段５で該周期変動量の小さいウォブル信号から抽出したフレーム信号に基づく位相比較器１１からの出力信号が選択され、ＤＡＣ１２に入力されてＤ／Ａ変換され、さらにモータ駆動回路１３に入力される。モータ駆動回路１３は該信号に対応した駆動信号を形成し、スピンドルモータ３を駆動する。すなわち、ウォブル信号周期の変動量が小さくて予め設定されている基準値以内の場合は、そのウォブル信号から抽出したフレーム信号に基づき、スピンドルモータ３の回転を制御する。一方、上記ウォブル周期検出手段６で検出したウォブル信号周期の変動量が大きく、予め設定されている基準値を超える場合は、上記スイッチ９'の接点ａ、ｃが接続され、上記データ保持手段１５で疑似位相差データとして保持していた位相値の変動が基準値以内の信号が選択されて上記ＤＡＣ１２に入力され、Ｄ／Ａ変換されてモータ駆動回路１３に入力される。モータ駆動回路１３は該信号に対応した駆動信号を形成し、スピンドルモータ３を駆動する。すなわち、ウォブル信号周期の変動量が大きくて予め設定されている基準値を超える場合は、位相値の変動が基準値以内の擬似位相差データに基づき、スピンドルモータ３の回転を制御する。従って、上記いずれの場合も、スピンドルモータ３は、位相値の変動が基準値以内の信号に基づき回転を制御される。
【００１５】
上記本発明の第２の実施形態によっても、光ディスク装置において、ウォブル信号の周期変動が増大した場合にも、スピンドルモータの回転制御変動を抑えて光ディスクを安定に回転させることができる。
【図面の簡単な説明】
【００１６】
【図１】本発明の第１の実施形態としての光ディスク装置の構成例である。
【図２】図１の光ディスク装置における制御用信号のタイミング説明図である。
【図３】本発明の第２の実施形態としての光ディスク装置の構成例である。
【符号の説明】
【００１７】
１…光ディスク、
２…光ヘッド、
３…スピンドルモータ、
４…アナログフロントエンド、
５…フレーム信号抽出手段、
６…ウォブル周期検出手段、
７…フレーム信号周期計測手段、
８…擬似フレーム信号発生手段、
９、９'…スイッチ、
１０…基準信号発生器、
１１…位相比較器、
１２…ＤＡＣ、
１３…モータ駆動回路、
１５…データ保持手段。
【図１】
2005166076.tif 000003
【図２】
2005166076.tif 000004
【図３】
2005166076.tif 000005